(57)【要約】【課題】  画像処理装置と相手ファクシミリ装置が通信制御装置を介して接続され画像通信システムにおいて、多回線同時通信やコピー／プリンターの競合動作時でも画像通信システムとして安定動作を保証するために、画像処理装置側の負荷を減らす必要がある。【解決手段】  送信時に前記相手ファクシミリ装置の応答を確認してファクシミリのネゴシエーション結果に基づく「能力変倍」と送信側付加情報である「送信ヘッダー作成」を除く送信の為の画像処理を前記画像処理装置内で開始する手段を有することを特徴とする画像通信システム。【選択図】  図２
2010252081.tif 000002
【特許請求の範囲】
【請求項１】
画像処理装置（１０１）と相手ファクシミリ装置が通信制御装置（２０１）を介して接続され、画像処理装置内の送信原稿を通信制御装置から相手ファクシミリ装置に送信する画像通信システムにおいて、
送信時に前記相手ファクシミリ装置の応答を確認（Ｓ１０３）してファクシミリのネゴシエーション結果に基づく「能力変倍」と送信側付加情報である「送信ヘッダー作成」を除く送信の為の画像処理を前記画像処理装置内で開始する（Ｓ２、Ｓ３）手段を有することを特徴とする画像通信システム。
【請求項２】
前記通信制御装置内の画像メモリ（２０５）容量の範囲内で、前記画像処理装置側で送信原稿に前記画像処理を行い、前記通信制御装置に前記画像処理を行った画像データを転送（Ｓ３）する手段を有することを特徴とする請求項１に記載の画像通信システム。
【請求項３】
前記通信制御装置側で行うファクシミリのネゴシエーション結果である原稿サイズ及び解像度に能力変倍を行う前記通信制御装置の「能力変倍」手段を有することを特徴とする請求項１に記載の画像通信システム。
【請求項４】
送信ヘッダーの画像データを前記通信制御装置が該当ページを送信する直前（Ｓ１０５、Ｓ１０６）に前記画像処理装置で作成してから前記通信制御装置へ転送（Ｓ７）する手段を有することを特徴とする請求項１に記載の画像通信システム。
【発明の詳細な説明】
【技術分野】
【０００１】
本発明は、画像を読み取り蓄積し記録出力可能な画像処理装置とファクシミリ通信を行う通信制御装置を含む画像通信システムにおいて、ファクシミリ送信原稿の画像処理方法に関するものである。
【背景技術】
【０００２】
複数台のファクシミリを１台の複合機に集約してオフィス機器の削減を図りたいという市場ニーズを背景に、近年、複合機の収容回線を増やしたモデルが増え複合機の多回線化が進んでいる。
【０００３】
従来のファクシミリ多回線対応複合機は、画像を読み取り記録し管理する画像管理装置とＣＰＵを持つ別装置としてファクシミリ通信処理を行う通信制御装置から構成されている。送信時には関係する全ての画像処理を画像処理装置側で通信制御装置側のファクシミリ手順と同期して行っている。
【０００４】
その為、通信制御装置側にＣＰＵを持つ構成を採用してはいるが、多回線同時通信時やコピー／プリンターの競合動作などで画像処理装置側の負荷が重くなる場合がある。画像処理装置側の負荷が重くなると送信のための画像処理の遅れによる通信エラーが発生しないように、通信制御装置はファクシミリ手順処理で時間稼ぎをしているのが現状である。
【０００５】
送信ヘッダを別に転送するものとしては、特許文献１がある。これは、ビットマップ形式のバナーデータと圧縮符号化された画像データを通信装置に渡し、画像データをビットマップ形式に解凍してバナーデータと合成し再符号化して送信する。
【０００６】
これに対し本発明は、ヘッダを圧縮符号化して通信制御部に転送する。また、通信制御部に対して送信原稿（画像データ）をキューイングする処理については記載が無い。
【先行技術文献】
【特許文献】
【０００７】
【特許文献１】特開平11-191839号公報
【発明の概要】
【発明が解決しようとする課題】
【０００８】
しかしながら上述した従来の技術では、収容回線数が更に増えるような画像通信システムを構成した場合に、従来のような通信制御装置側のファクシミリ手順による負荷分散では間に合わなくなり通信エラーを引き起こす可能性が増加する。
【０００９】
多回線同時通信やコピー／プリンターの競合動作時でも画像通信システムとして安定動作を保証するために、画像処理装置側の負荷を減らす必要がある。
【課題を解決するための手段】
【００１０】
上述した課題・問題点を解決するために、本発明は、以下の画像通信システムを採用した。
【００１１】
(1)画像処理装置と相手ファクシミリ装置が通信制御装置を介して接続され、画像処理装置内の送信原稿を通信制御装置から相手ファクシミリ装置に送信する画像通信システムにおいて、
送信時に前記相手ファクシミリ装置の応答を確認してファクシミリのネゴシエーション結果に基づく「能力変倍」と送信側付加情報である「送信ヘッダー作成」を除く送信の為の画像処理を前記画像処理装置内で開始する手段を有することを特徴とする。
【００１２】
(2)前記(1)の画像通信システムにおいて、前記通信制御装置内の画像メモリ容量の範囲内で前記画像処理装置側で送信原稿に前記画像処理を行い、前記通信制御装置に前記画像処理を行った画像データを転送する手段を有することを特徴とする。
【００１３】
(3)前記(1)の画像通信システムにおいて、前記通信制御装置側で行うファクシミリのネゴシエーション結果に基づいた原稿サイズ及び解像度に能力変倍を行う前記通信制御装置の「能力変倍」手段を有することを特徴とする。
【００１４】
(4)前記(1)の画像通信システムにおいて、送信ヘッダーの画像データを前記通信制御装置が該当ページを送信する直前に前記画像処理装置で作成してから前記通信制御装置へ転送する手段を有することを特徴とする。
【発明の効果】
【００１５】
本発明によって、画像処理装置に接続された通信制御装置に収容された全回線同時通信を行っても画像処理装置側と通信制御装置でファクシミリ送信処理にかかる負荷分散が可能となり、コピー／プリンターなどの競合動作時にもパフォーマンスを維持できる。
【図面の簡単な説明】
【００１６】
【図１】本発明を実施し収容回線数の増設を果した画像通信システムと従来構成の画像通信システムとを比較したソフト構成図である。
【図２】本発明の画像処理装置と通信制御装置で、画像処理の分担とファクシミリプロトコルのタイミングを時系列的に表現したものである。
【図３】本発明の実施例に係わる画像通信システムの構成を示すブロック図である。
【図４】本発明の実施例における、画像処理装置側での送信時の画像処理制御を表すフローチャート図である。
【図５】本発明の実施例における、通信制御装置側での送信時の画像処理制御を表すフローチャート図である。
【図６】本発明の実施例における、送信時に送信原稿を画像処理装置から通信制御装置側へキューイングする時の画像管理タスクのフローチャート図である。
【発明を実施するための形態】
【００１７】
（実施例１）
以下、図１，図２,図３，図４,図５,図６に示す実施例に基づき、本発明を詳細に説明する。
【００１８】
図１は、本発明を実施し収容回線数の増設を果した画像通信システムと従来構成の画像通信システムとを比較したソフト構成図である。
【００１９】
画像処理装置内のＦＡＸ画像管理部で処理される画像処理の一部を、通信制御装置内で行うことにより、画像処理装置の負担を減らし通信制御装置に収容する回線数を増設したことを表している。
【００２０】
図２は、本発明の実施前と実施後で、画像処理装置側と通信制御装置側の画像処理の分担を表し、画像処理とファクシミリ手順及び画像データ送信の関係を時系列で表現したものである。
【００２１】
図２の(1)は本発明実施前の画像通信システムでの送信画像の画像処理が、ＰＩＸ（画像データ）送信のタイミングと同期して開始されることを表している。また、通信制御装置内で行われる画像処理は、画像処理装置の画像処理が終了してから実行されている。
【００２２】
(2)は本発明実施後の画像通信システムを表し、相手受信機の応答開始（ＤＩＳ受信）をもって画像処理装置側の画像処理を開始し、画像データ送信タイミングには同期せず連続して画像データを通信制御装置に転送している（送信画像のキューイング）。
【００２３】
また、(1)の画像処理装置側で行っていた「能力変倍」と「ヘッダー付加」処理を通信制御装置側で行うことにより、画像処理装置側の負荷軽減を図っていることを表している。
【００２４】
図３は、本発明における画像通信システムのブロック図である。
【００２５】
図３において、
１０１：画像処理装置は、１０２〜１１５で構成され、単体としてコピー／プリンタ／スキャナ機能を提供する。また、通信制御装置（２０１）と接続してファクシミリ送信／受信機能を提供する。
【００２６】
１０２、２０２：ＣＰＵは、システム制御部であり、ＣＰＵ１０２は画像処理装置全体をＣＰＵ２０２は通信制御装置全体を制御する。
【００２７】
１０３、２０３：ＲＯＭは、ＣＰＵの制御プログラムを格納するものである。
【００２８】
１０４、２０４：ＲＡＭは、ＳＲＡＭ等で構成され、画像の管理データなどバックアップが必要なデータを蓄積する為のものである。
【００２９】
１０５、２０５：蓄積メモリは、ＤＲＡＭ等で構成され、画像データを蓄積する為のものである。
【００３０】
１０６、２２１：符号化復号化処理部は、通信装置で扱う画像データの符号化復号化処理を行う。
【００３１】
１０７：時計部は、動作間隔等を計測し、ＩＣ等で構成される。ヘッダーに記載される送信時刻を取得する。
【００３２】
１０８：画像処理部は、スキャナによって読み込まれた画像データに補正処理を施して高精細な画像データを出力するものである。
【００３３】
１０９、１１０：シートスキャナ、ブックスキャナは、ＣＳイメージセンサ、原稿搬送機構などで構成され、原稿を光学的に読み取って電気的な画像データに変換するものである。
【００３４】
１１１：操作部は、キーボード、表示部等で構成され、オペレータが各種入力操作を行うためのものである。
【００３５】
１１２：ラインバッファは。画像データの転送制御を行う場合に使用するするラインバッファである。
【００３６】
１１３：プリントバッファは、印字用文字コードを格納する為の１ページ分のバッファメモリである。
【００３７】
１１４：プリンタは、受信画像やファイルデータを普通紙に記録するＬＢＰ等のプリンタである。
【００３８】
１１５：デバイスＩ／Ｆは、デバイス（通信制御装置）とＵＳＢ接続等で接続するためのＩ／Ｆ制御部である。
【００３９】
２０１：通信制御装置は、２０２〜２２１で構成され、画像処理装置（１０１）と接続してファクシミリ送信／受信機能を提供する。
【００４０】
２０６：ホストＩ／Ｆは、ホスト（画像処理装置）とＵＳＢ接続等で接続するためのＩ／Ｆ制御部である。
【００４１】
２０７〜２１０：モデムは、回線からの変調された信号を復調したり、逆に装置からの信号を変調し回線に送出するものである。
【００４２】
２１１〜２１４：回線ｉ／ｆ部は、ＮＣＵ等で構成される制御部である。電話機の接続端子が２個の場合には、夫々の端子でオフフック／オンフック検知をするために接続端子毎にフック検知回路を有する。
【００４３】
２１５：電話機は、回線ｉ／ｆ部（ＮＣＵ）を通して電話回線に接続されるハンドセット（ダイヤラを持たない電話機）や外付け電話機（留守番電話機等）である。
【００４４】
２１６〜２１９：電話回線である。
【００４５】
２２０：解像度変換処理部は、ラスタデータのミリ−インチ解像度変換等の解像度変換制御を行うものである。
【００４６】
図４は、画像処理装置側での送信時における画像処理制御を表すフローチャート図である。
【００４７】
操作部１１１から送信が指示されると、デバイスＩ／Ｆ部１１５を通して画像処理装置から通信制御装置に対して通信開始要求コマンド（Ｓ１）を発行する。
【００４８】
通信制御装置から送信画像の転送を要求する画像送信通知コマンドを受信する（Ｓ２）と、画像処理装置は通信制御装置に対して送信画像データを含んだ画像送信応答コマンド（Ｓ３）を送信する。（Ｓ２）（Ｓ３）の処理を１ページ分の画像データが転送されるまで繰り返される。１ページ分の画像データの転送が終了すると、通信制御装置から次ページの有無を画像処理装置に教えてもらうために次ページ情報通知コマンド（Ｓ４）を受信するので、次ページ情報応答コマンド（Ｓ５）で次ページの有無を通信制御装置に転送する。ヘッダ画像を要求するヘッダ送信通知コマンドを受信（Ｓ６）したら、画像処理装置は日付／送信時刻／相手先電話番号／自機電話番号／ページ数等の情報を記載した画像データを作成し、ヘッダ情報応答コマンド（Ｓ７）に付加して通信制御装置へ転送する。送信処理の終了を表す通信終了確認コマンド（Ｓ８）受信したら画像処理装側の送信処理は終了する。
【００４９】
図５は、通信制御装置側での送信時における画像処理制御を表すフローチャート図である。
【００５０】
通信制御装置は、ホストＩ／Ｆ部２０６から送信開始を指示する送信開始要求コマンド（Ｓ１０１）を受信すると、画像処理装置から指定された宛先にダイヤル(Ｓ１０２)する。送信相手先との接続又は送信相手先のファクシミリ信号を検出することにより相手先の応答を確認（Ｓ１０３）する。相手先の応答を確認後、直ぐに画像データ受信の為の画像管理タスクを起動（Ｓ１０４）させる。画像処理装置から通信制御装置への画像データ転送は、画像送信処理（Ｓ１０８）とは非同期で先行して（送信原稿のキューイング）行う必要があるため専用の画像管理タスクで管理される。ヘッダー画像を送信原稿の先頭に付加して送信するために（Ｓ１０５）画像処理装置に対して、ヘッダ送信通知コマンド（Ｓ１０６）を転送する。１ページ分の画像データを送信（Ｓ１０７）したら、次ページの有無を判断（Ｓ１０８）し、次ページが有れば（Ｓ１０５）に戻り、次ページが無ければファクシミリ終了手順を行い回線開放して送信終了確認コマンド（Ｓ１０９）を通知する。
【００５１】
図６は、通信制御装置側で送信時に送信原稿を画像処理装置からキューイングされるための画像管理タスクの簡単なフローチャート図である。
【００５２】
画像管理タスクが起動されると、送信原稿の転送を画像処理装置へ依頼する画像送信通知コマンドを転送（Ｓ２０１）する。画像処理装置から送信画像データが次データの有無情報と共に画像送信応答コマンド（Ｓ２０２）によって通知される。次データが有る場合には、１ページ分のデータ転送が終了していないので（Ｓ２０１）に戻り画像データの転送を繰り返す。次データが無い場合には、１ページ分の画像データ転送が終了したと判断し、次のページが有るかどうかを画像処理装置に問い合わせるために次ページ情報通知コマンド（Ｓ２０３）を転送する。次ページ情報応答コマンドを受信（Ｓ２０４）し次ページが無い場合には、図５の通信制御処理の終了を確認（Ｓ２０５）して画像管理タスクを終了する。
【符号の説明】
【００５３】
101  画像処理装置
102,202  ＣＰＵ
103,203  ＲＯＭ
104,204  ＲＡＭ
105,205  画像メモリ
106,221  符号化復号化処理部
107  時計部
108  画像処理部
109  シートスキャナ
110  ブックスキャナ
111  操作部
112  ラインバッファ
113  プリントバッファ
114  プリンタ
115  デバイスＩ／Ｆ
201  通信制御装置
206  ホストＩ／Ｆ
207〜210  モデム
211〜214  ＮＣＵ（回線ｉｆ部）
215  電話機
216〜219  回線
220  解像度変換処理部
【図１】
2010252081.tif 000003
【図２】
2010252081.tif 000004
【図３】
2010252081.tif 000005
【図４】
2010252081.tif 000006
【図５】
2010252081.tif 000007
【図６】
2010252081.tif 000008